【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  搾乳プロセスを調節する方法であって、
i）  少なくとも１の容量のミルクを識別し、
ii）  ａ）該容量のミルク中の実質的に個々の体細胞をカウント、または
ｂ）該容量のミルク中の少なくとも１つの生物学的粒子の少なくとも１つの性質を評価すること、
のいずれかによって、識別された容量中の粒子を評価し、
iii）  識別された容量のミルク中の粒子の評価の少なくとも１つの結果を得、
iv）  少なくとも１つの予め決定されたミルク品質パラメーターを供し、
v）  工程iii）にて得られた少なくとも１つの結果と、工程iv）にて供給された予め決定されたミルク品質パラメーターとを相関させ、
vi）  ｃ）iii）にて得られた少なくとも１つの結果、および
ｄ）v）にて得られた相関性
の片方または双方を、搾乳されるべきミルクの少なくとも一部分の搾乳プロセスを調節できる調節手段に転送し、次いで
vii）  ｃ）iii）にて得られた少なくとも１つの結果およびｄ）v）にて得られた相関性の片方または双方に基づき搾乳プロセスを調節する工程を含むことを特徴とする該方法。
【請求項２】  該方法が、ミルクの１以上の化学的または物理的な性質を評価し、該評価が好ましくは識別された容量のミルク中の粒子の評価と実質的に同時になされることを特徴とする請求項１記載の方法。
【請求項３】  粒子の評価が、ミルク中に存在する生物学的粒子のカウントであり、該生物学的粒子が０.１ｍｍを超える直径を有し、好ましくは該生物学的粒子が０.５ｍｍを超える直径を有し、より好ましくは該生物学的粒子が１ｍｍを超える直径を有し、より好ましくは該生物学的粒子が２ｍｍを超える直径を有し、より好ましくは該生物学的粒子が５ｍｍを超える直径を有することを特徴とする請求項１記載の方法。
【請求項４】  該生物学的粒子が１またはいくつかの：粒子を含有する蛋白質、粒子を含有する体細胞、粒子を含有する体組織であることを特徴とする請求項１または３記載の方法。
【請求項５】  粒子の該評価が血液粒子のカウントである請求項１記載の方法。
【請求項６】  １以上の化学的性質の評価が、１以上の：脂肪、蛋白質、ラクトース、クエン酸、尿素、ヘモグロビン、ケトン、二酸化炭素、酸素、ｐＨ、カリウム、カルシウム、ナトリウムの濃度および／またはレベルの推定であることを特徴とする請求項２記載の方法。
【請求項７】  １以上の物理的性質の評価が、１以上の：温度、伝導性、光散乱の測定であることを特徴とする請求項２記載の方法。
【請求項８】  個々の体細胞数のカウントおよび／または１以上の粒子の評価が１以上の個々の区域でなされることを特徴とする請求項１ないし５のいずれか１記載の方法。
【請求項９】  １以上の化学的性質の評価および／または１以上の物理的性質の評価が、１以上の個々の区域でなされることを特徴とする請求項１および６ないし７のいずれか１記載の方法。
【請求項１０】  ミルクの取扱いの調節が、１以上の個々の区域からのミルクにつき個々になされることを特徴とする前記請求項のいずれか１記載の方法。
【請求項１１】  ミルク中の粒子の評価および／またはミルク中の１以上の化学的もしくは物理的な性質が、搾乳されるべき個々の動物の識別の前および／または後に実質的になされ、好ましくは該識別が個々の動物から生じた１以上のデータを読取る識別手段によってなされることを特徴とする前記請求項のいずれか１記載の方法。
【請求項１２】  ミルクの取扱いの調節が、ミルクを１以上の貯蔵手段および／または流出口に向けることを特徴とする前記請求項のいずれか１記載の方法。
【請求項１３】  該容量のミルクの評価の少なくとも１つの結果が、収容手段に転送され、好ましくは該結果が動物の識別によって識別され、該収容手段のデータがコンピューター手段に利用可能であることを特徴とする前記請求項のいずれか１記載の方法。
【請求項１４】  粒子の該評価が、ミルク試料を含有する曝露ドメインから電磁放射線照射の空間的イメージ表示を創製し、該イメージの定量化検出を行うことより行われた自動化顕微鏡によって行われることを特徴とする前記請求項のいずれか１記載の方法。
【請求項１５】  電磁放射線が照射され、検出される液体試料の容量が、０.０１μｌと２０μｌとの間の範囲内、好ましくは０.０４μｌと４μｌとの間の範囲内にあることを特徴とする前記請求項のいずれか１記載の方法。
【請求項１６】  粒子の評価につき検出されるシグナルが、電磁気シグナルの減衰、および／またはホトルミネセンスによる電磁放射線照射の放出によって実質的に引き起こされるシグナルであって、該減衰および／または該ホトルミネセンスが、該粒子の一部分である１以上の分子に関連し、好ましくは、該粒子が体細胞であって、該分子がＤＮＡおよび／または蛋白質であることを特徴とする前記請求項のいずれか１記載の方法。
【請求項１７】  粒子の評価につき検出されるシグナルが、該粒子に結合し、該粒子内に保持され、該分子と相互作用する１またはいくつかの型の分子タイプから実質的に由来し、かかる分子が電磁気シグナルの曝露前または曝露中に試料に添加され、該分子が１またはいくつかの以下の現象：電磁放射線の減衰、電磁放射線で照らされた場合のホトルミネセンス、電磁放射線の散乱、ラマン散乱に上昇を与える分子であることを特徴とする前記請求項のいずれか１記載の方法。
【請求項１８】  １以上の核酸染料および／または１以上の電位差膜染料の有効量を添加することを特徴とする請求項１７記載の方法。
【請求項１９】  フェナントリジン類（例えば、臭化エチジウムＣＡＳ番号：１２３９-４５-８、ヨウ化プロピジウムＣＡＳ番号：２５５３５-１６-４）、アクリジン染料類（例えば、アクリジンオレンジＣＡＳ番号：６５-６１-２／ＣＡＳ-１０１２７-０２-３）、シアニン色素類（ＴＯＴＯＴＭ-１ヨウ化物ＣＡＳ番号：１４３ ４１３-８４-７-Molecular Probes、ＹＯ−ＰＲＯＴＭ-１ヨウ化物ＣＡＳ番号：１５２ ０６８-０９-２-Molecular Probes）、インドール類およびイミダゾール類（例えば、Hoechst ３３２５８ ＣＡＳ番号：０２３ ４９１-４５-４、Hoechst ３３３４２ ＣＡＳ番号：０２３ ４９１-５２-３、ＤＡＰＩ ＣＡＳ番号：２８７１８-９０-３、ＤＩＰＩ（４',６-（ジイミダゾリン-２-イル）-２-フェニルインドール）よりなる群から選択される１以上の核酸染料を添加し、好ましくは、添加された該核酸染料が、ヨウ化プロピジウムＣＡＳ番号：２５５３５-１６-４であることを特徴とする請求項１８記載の方法。
【請求項２０】  添加されたいずれかの化学薬品が、１以上の染料を分子に結合させるのに促進効果を有し、好ましくは、かかる化学薬品がｔ−オクチルフェノキシポリエトキシエタノール（トリトンＸ−１００）であることを特徴とする請求項１７ないし１９のいずれか１記載の方法。
【請求項２１】  添加されたいずれかの化学薬品が、実質的に固体、および／または実質的に非水性、および／または実質的に凍結乾燥の形態のいずれかの化学薬品の溶解または可溶化の速度を増大させる効果を有し、好ましくは、かかる化学薬品が１以上のタイプの有機および無機の塩であることを特徴とする請求項１７ないし１９のいずれか１記載の方法。
【請求項２２】  いずれかの化学的性質の評価が、分光光度測定法に基づき、該分光光度測定法が、例えば、１またはいくつかの；中赤外減衰、近赤外減衰、可視減衰、紫外減衰、ホトルミネッセンス、ラマン散乱、核磁気共鳴である、および／またはいずれかの化学的性質の評価が、好ましくはイオン選択性電極の使用による電位差測定法に基づいていることを特徴とする前記請求項のいずれか１記載の方法。
【請求項２３】  該容量の評価されるべきミルクが、評価に用いられる試薬の添加を除いて希釈されていないミルク試料であり、好ましくは該試薬が実質的に固体、および／または実質的に非水性、および／または実質的に凍結乾燥の形態であることを特徴とする前記請求項のいずれか１記載の方法。
【請求項２４】  評価されるべきミルクの少なくとも一部が、搾乳の初めにて、好ましくは、１００ｍｌのミルクが搾乳される前に、より好ましくは２０ｍｌのミルクが搾乳される前に、より好ましくは５ｍｌのミルクが搾乳される前に、実質的に獲得され、および／または識別されることを特徴とする前記請求項のいずれか１記載の方法。
【請求項２５】  ミルクの粒子または化学的もしくは物理的な性質の少なくとも１つの評価が実質的に使い捨てデバイスにおいて行われ、好ましくは、該デバイスが予め決定された数の容量のミルクの評価の後に、廃棄されるかまたは処分される、および／または少なくとも部分的にブロックされる場合に、廃棄される、および／または評価のために用いられたいずれかの化学薬品または試薬が実質的に空になった場合に、廃棄されるかまたは処分されることを特徴とする前記請求項のいずれか１記載の方法。
【請求項２６】  ミルクの粒子または化学的もしくは物理的な性質の少なくとも１つの評価が、ドメインにおいて行われ、ここに、該ドメインの少なくとも１つの物理的寸法は、該ドメインの容量を実質的に部分的に決定し、および該少なくとも１つの物理的寸法は、試料が該ドメインに誘導される場合の少なくとも一部のいずれかの期間、および測定または検出が行われる場合の少なくとも一部のいずれかの期間の間に実質的に異なり、好ましくは、その効果は、該ドメインの容量が、測定または検出が行われる場合の少なくとも一部のいずれかの期間より、試料が該ドメインに誘導される場合の少なくとも一部のいずれかの期間にて実質的に大きいことを特徴とする前記請求項のいずれか１記載の方法。
【請求項２７】  ミルクの粒子または化学的もしくは物理的な性質の少なくとも１つの評価が、搾乳を制御する制御手段によって作動されるかまたは制御されることを特徴とする前記請求項のいずれか１記載の方法。
【請求項２８】  搾乳プロセスを調節するシステムであって、
i）  少なくとも１の容量のミルクを識別する検出手段、
ii）  ａ）該容量のミルク中の実質的に個々の体細胞をカウント、または
ｂ）該容量のミルク中の少なくとも１つの生物学的粒子の少なくとも１つの性質を評価すること
のいずれかによって、識別された容量中の粒子を評価する手段、
iii）  識別された容量のミルク中の粒子の評価の少なくとも１つの結果を収容および供給する収容手段、
iv）  少なくとも１つの予め決定されたミルク品質パラメーターを収容および供給する収容手段、
v）  iii）にて供給された少なくとも１つの結果と、iv）にて供給された少なくとも１つの予め決定されたミルク品質パラメーターとを相関させる処理手段、
vi）  工程v）にて得られた相関性に基づき搾乳プロセスを調節する手段
を含むことを特徴とする該システム。
【請求項２９】  該システムが、ミルクの少なくとも１つの化学的または物理的な性質を評価し、該評価が識別された容量のミルク中の粒子の評価と実質的に同時に好ましくはなされることを含むことを特徴とする請求項２８記載のシステム。
【請求項３０】  １以上の化学的性質の評価が、１以上の：脂肪、蛋白質、ラクトース、クエン酸、尿素、ヘモグロビン、ケトン、二酸化炭素、酸素、ｐＨ、カリウム、カルシウム、ナトリウムの濃度および／またはレベルの推定であることを特徴とする請求項２８記載のシステム。
【請求項３１】  １以上の物理的性質の評価が、１以上の：温度、伝導性、光散乱の測定であることを特徴とする請求項２８記載のシステム。
【請求項３２】  個々の体細胞の評価、および／またはカウントとミルクの容量当たりの体細胞数を実質的に表す値との相関性が１以上の個々の（複数の）区域でなされることを特徴とする請求項２８ないし２９のいずれか１記載のシステム。
【請求項３３】  ミルクの取扱いの調節が、１以上の区域からのミルクにつき個々になされることを特徴とする請求項２８ないし３２のいずれか１記載のシステム。
【請求項３４】  動物を識別する検出手段および従前の搾乳の時期に関する１以上の情報および／または動物の健康に関する１以上の情報をさらに含むことを特徴とする請求項２８ないし３３のいずれか１記載のシステム。
【請求項３５】  ミルクの取扱いの調節が、ミルクを１以上の貯蔵手段および／または流出口に向けることを特徴とする請求項２８ないし３４のいずれか１記載のシステム。
【請求項３６】  該容量のミルクの評価の少なくとも１つの結果が、収容手段に転送され、ここに、該動物の識別の結果が収容され、該収容手段のデータがコンピューター手段に利用可能であることを特徴とする請求項２８ないし３５のいずれか１記載のシステム。
【請求項３７】  搾乳装置が自動搾乳システムであることを特徴とする請求項２８ないし３６のいずれか１記載のシステム。
【請求項３８】  粒子の該評価が、ミルク試料を含有する曝露ドメインから電磁放射線照射の空間的イメージ表示を創製し、該イメージの定量化検出を行うことよって行われた自動化顕微鏡によって行われることを特徴とする請求項２８ないし３７のいずれか１記載のシステム。
【請求項３９】  識別された該容量が、０.０１μｌと２０μｌとの間の範囲内、好ましくは０.０４μｌと４μｌとの間の範囲内にあることを特徴とする請求項２８ないし３８のいずれか１記載のシステム。
【請求項４０】  いずれかの化学的性質の評価が分光光度測定法に基づき、該分光光度測定法が、例えば、１またはいくつかの；中赤外減衰、近赤外減衰、可視減衰、紫外減衰、ホトルミネッセンス、ラマン散乱、核磁気共鳴である、および／またはいずれかの化学的性質の評価が、好ましくはイオン選択性電極の使用による電位差測定法に基づいていることを特徴とする請求項２８ないし３９のいずれか１記載のシステム。
【請求項４１】  該容量の評価されるべきミルクが、搾乳中の異なる時間にて集められ、好ましくは１以上の評価の結果が、搾乳されるべき全ミルクの性質と相関し得ることを特徴とする請求項２８ないし４０のいずれか１記載のシステム。
【請求項４２】  試料区画を含む実質的に使い捨てデバイスを含むことを特徴とする請求項２８ないし４１のいずれか１記載のシステム。
【請求項４３】  ミルクの粒子または化学的もしくは物理的な性質の少なくとも１つの評価がドメインにおいて行われ、ここに、該ドメインの少なくとも１つの物理的寸法は、該ドメインの容量を実質的に部分的に決定し、および少なくとも１つの該物理的寸法は、試料が該ドメインに誘導される場合の少なくとも一部のいずれかの期間、および測定または検出が行われる場合の少なくとも一部のいずれかの期間の間に実質的に異なり、好ましくは、その効果は、該ドメインの容量が、測定または検出が行われる場合の少なくとも一部のいずれかの期間より、試料が該ドメインに誘導される場合の少なくとも一部のいずれかの期間にて実質的に大きいことを特徴とする請求項２８ないし４２のいずれか１記載のシステム。
【請求項４４】  ミルクの粒子または化学的もしくは物理的な性質の少なくとも１つの評価が、搾乳を制御する制御手段によって作動されるかまたは制御されることを特徴とする請求項２８ないし４３のいずれか１記載のシステム。